【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
現在ピクチャの１つ以上の直接参照レイヤピクチャを記憶するように構成されたメモリユニットと、ここにおいて、前記現在ピクチャは、現在レイヤ［ｊ］に関連付けられ、前記現在レイヤ［ｊ］は、１つ以上の直接参照レイヤに関連付けられ、
前記メモリユニットと通信し、
前記現在レイヤ［ｊ］と前記１つ以上の直接参照レイヤの各直接参照レイヤ［ｉ］との各組み合わせに関連付けられた変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、前記現在レイヤ［ｊ］に関連付けられた前記１つ以上の直接参照レイヤに属する前記１つ以上の直接参照レイヤピクチャがレイヤ間予測での使用に利用可能であるように、使用に制限されない前記現在レイヤ［ｊ］に関連付けられた前記１つ以上の直接参照レイヤに属する前記１つ以上の直接参照レイヤピクチャの全てが、前記現在ピクチャと同じアクセス単位に存在し、前記現在ピクチャに関連付けられたレイヤ間ピクチャセットに含まれるかどうかを決定することと、
前記現在レイヤ［ｊ］と前記１つ以上の直接参照レイヤの各直接参照レイヤ［ｉ］との各組み合わせに関連付けられた前記変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、レイヤ間予測での使用に利用可能である前記現在レイヤ［ｊ］に関連付けられた前記１つ以上の直接参照レイヤに属する前記１つ以上の直接参照レイヤピクチャの全てが、前記現在ピクチャと同じアクセス単位に存在し、前記現在ピクチャに関連付けられた前記レイヤ間参照ピクチャセットに含まれるという決定に基づいて、前記現在ピクチャに関連付けられたｄｅｆａｕｌｔ＿ｒｅｆ＿ｌａｙｅｒｓ＿ａｃｔｉｖｅ＿ｆｌａｇを第１の値に設定することと
を行うように構成されたプロセッサと
を備える、ビデオエンコーダ。
【請求項２】
前記プロセッサが、ビデオパラメータセット（ＶＰＳ）を参照する各それぞれのピクチャごとに、レイヤ間予測での使用に利用可能である前記それぞれのピクチャを含むレイヤに関連付けられた任意の直接参照レイヤに属する任意の参照レイヤピクチャが、前記それぞれのピクチャのレイヤ間参照ピクチャセット中に含まれると、前記第１の値に設定されている前記ｄｅｆａｕｌｔ＿ｒｅｆ＿ｌａｙｅｒｓ＿ａｃｔｉｖｅ＿ｆｌａｇに基づいて、決定するように更に構成される、請求項１に記載のビデオエンコーダ。
【請求項３】
前記プロセッサが、
前記現在レイヤ［ｊ］と前記１つ以上の直接参照レイヤの各直接参照レイヤ［ｉ］との各組み合わせに関連付けられた前記それぞれの変数ｍａｘ＿ｔｉｄ＿ｒｅｆ＿ｐｉｃｓ＿ｐｌｕｓ１［ｉ］［ｊ］の値よりも小さい時間的識別値を有する前記１つ以上の直接参照レイヤの各直接参照レイヤ［ｉ］の直接参照レイヤピクチャに基づいて決定されるように、レイヤ間予測での使用に利用可能である前記現在ピクチャの前記現在レイヤ［ｊ］に関連付けられた前記１つ以上の直接参照レイヤに属する前記１つ以上の直接参照レイヤピクチャのうちの少なくとも１つが、（ａ）前記現在ピクチャと前記同じアクセス単位に存在していない、または（ｂ）前記現在ピクチャに関連付けられた前記レイヤ間参照ピクチャセットに含まれない、のうちの少なくとも１つであるという決定に基づいて、前記ｄｅｆａｕｌｔ＿ｒｅｆ＿ｌａｙｅｒｓ＿ａｃｔｉｖｅ＿ｆｌａｇを第２の値に設定する
ように更に構成される、請求項１に記載のビデオエンコーダ。
【請求項４】
ビデオを符号化する方法であって、
現在ピクチャの１つ以上の直接参照レイヤピクチャを記憶することと、ここにおいて、前記現在ピクチャは、現在レイヤ［ｊ］に関連付けられ、前記現在レイヤ［ｊ］は、１つ以上の直接参照レイヤに関連付けられ、
前記現在レイヤ［ｊ］と前記１つ以上の直接参照レイヤの各直接参照レイヤ［ｉ］との各組み合わせに関連付けられた変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、前記現在レイヤ［ｊ］に関連付けられた前記１つ以上の直接参照レイヤに属する前記１つ以上の直接参照レイヤピクチャがレイヤ間予測での使用に利用可能であるような、使用に制限されない前記現在レイヤ［ｊ］に関連付けられた前記１つ以上の直接参照レイヤに属する前記１つ以上の直接参照レイヤピクチャの全てが、前記現在ピクチャと同じアクセス単位に存在し、前記現在ピクチャに関連付けられたレイヤ間ピクチャセットに含まれるかどうかを決定することと、
前記現在レイヤ［ｊ］と前記１つ以上の直接参照レイヤの各直接参照レイヤ［ｉ］との各組み合わせに関連付けられた前記変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、レイヤ間予測での使用に利用可能である前記現在レイヤ［ｊ］に関連付けられた前記１つ以上の直接参照レイヤに属する前記１つ以上の直接参照レイヤピクチャの全てが、前記現在ピクチャと同じアクセス単位に存在し、前記現在ピクチャに関連付けられた前記レイヤ間参照ピクチャセットに含まれるという決定に基づいて、前記現在ピクチャに関連付けられたｄｅｆａｕｌｔ＿ｒｅｆ＿ｌａｙｅｒｓ＿ａｃｔｉｖｅ＿ｆｌａｇを第１の値に設定することと
を備える、方法。
【請求項５】
ビデオパラメータセット（ＶＰＳ）を参照する各それぞれのピクチャごとに、レイヤ間予測での使用に利用可能である前記それぞれのピクチャを含むレイヤに関連付けられた任意の直接参照レイヤに属する任意の参照レイヤピクチャが、前記それぞれのピクチャのレイヤ間参照ピクチャセット中に含まれることを、前記第１の値に設定されている前記ｄｅｆａｕｌｔ＿ｒｅｆ＿ｌａｙｅｒｓ＿ａｃｔｉｖｅ＿ｆｌａｇに基づいて、決定することを更に備える、請求項４に記載の方法。
【請求項６】
前記現在レイヤ［ｊ］と前記１つ以上の直接参照レイヤの各直接参照レイヤ［ｉ］との各組み合わせに関連付けられた前記それぞれの変数ｍａｘ＿ｔｉｄ＿ｒｅｆ＿ｐｉｃｓ＿ｐｌｕｓ１［ｉ］［ｊ］の少なくとも値よりも小さい時間的識別値を有する前記１つ以上の直接参照レイヤの各直接参照レイヤ［ｉ］の直接参照レイヤピクチャに基づいて決定されるように、レイヤ間予測での使用に利用可能である前記現在ピクチャの前記直接参照レイヤピクチャのうちの少なくとも１つが、（ａ）前記現在ピクチャと前記同じアクセス単位に存在していない、または（ｂ）前記現在ピクチャに関連付けられた前記レイヤ間参照ピクチャセットに含まれない、のうちの少なくとも１つであるという決定に基づいて、前記ｄｅｆａｕｌｔ＿ｒｅｆ＿ｌａｙｅｒｓ＿ａｃｔｉｖｅ＿ｆｌａｇを第２の値に設定すること
を更に備える、請求項４に記載の方法。
【請求項７】
現在レイヤ［ｊ］に関連付けられた現在ピクチャの１つ以上の直接参照レイヤピクチャを記憶するように構成されたメモリユニットと、ここにおいて、前記１つ以上の直接参照レイヤピクチャの各々は、前記現在レイヤ［ｊ］に関連付けられた１つ以上の直接参照レイヤのそれぞれの直接参照レイヤに関連付けられ、
前記メモリユニットと通信し、変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、前記現在レイヤ［ｊ］に関連付けられた前記１つ以上の直接参照レイヤに属する前記１つ以上の直接参照レイヤピクチャがレイヤ間予測での使用に利用可能であるような、使用に制限されない前記現在レイヤ［ｊ］に関連付けられた前記１つ以上の直接参照レイヤに属する前記１つ以上の直接参照レイヤピクチャの全てが、前記現在ピクチャと同じアクセスユニットに存在し、前記現在ピクチャに関連付けられたレイヤ間参照ピクチャセットに含まれるかどうかを、第１の値を有する前記現在ピクチャに関連付けられたｄｅｆａｕｌｔ＿ｒｅｆ＿ｌａｙｅｒｓ＿ａｃｔｉｖｅ＿ｆｌａｇに基づいて、決定することを行うように構成されたプロセッサと
を備える、ビデオデコーダ。
【請求項８】
前記プロセッサが、レイヤ間予測での使用に利用可能である前記１つ以上の直接参照レイヤピクチャの全てが前記現在ピクチャに関連付けられた前記レイヤ間参照ピクチャセット中に含まれると決定したことに応答して、アクティブ参照レイヤピクチャである前記１つ以上の直接参照レイヤピクチャの数を決定するように更に構成される、請求項７に記載のビデオデコーダ。
【請求項９】
前記プロセッサが、レイヤ間予測と前記直接参照レイヤピクチャのうちの少なくとも１つとを使用して、前記現在ピクチャを復号するように更に構成される、請求項８に記載のビデオデコーダ。
【請求項１０】
ビデオを復号する方法であって、
現在レイヤ［ｊ］に関連付けられた現在ピクチャの１つ以上の直接参照レイヤピクチャを記憶することと、ここにおいて、前記１つ以上の直接参照レイヤピクチャの各々は、前記現在レイヤ［ｊ］に関連付けられた１つ以上の直接参照レイヤのそれぞれの直接参照レイヤに関連付けられ、
変数ｍａｘ＿ｔｉｄ＿ｒｅｆ＿ｐｉｃｓ＿ｐｌｕｓ１［ｉ］［ｊ］のそれぞれの値よりも小さい時間的識別値を有する前記１つ以上の直接参照レイヤの各直接参照レイヤ［ｉ］の直接参照レイヤピクチャに基づいて決定されるように、前記現在レイヤ［ｊ］に関連付けられた前記１つ以上の直接参照レイヤに属する前記１つ以上の直接参照レイヤピクチャがレイヤ間予測での使用に利用可能であるような、使用に制限されない前記現在レイヤ［ｊ］に関連付けられた前記１つ以上の直接参照レイヤに属する前記１つ以上の直接参照レイヤピクチャの全てが、前記現在ピクチャと同じアクセスユニットに存在し、前記現在ピクチャに関連付けられたレイヤ間参照ピクチャセットに含まれるかどうかを、第１の値を有する前記現在ピクチャに関連付けられたｄｅｆａｕｌｔ＿ｒｅｆ＿ｌａｙｅｒｓ＿ａｃｔｉｖｅ＿ｆｌａｇに基づいて、決定することと
を備える、方法。
【請求項１１】
レイヤ間予測での使用に利用可能である前記１つ以上の直接参照レイヤピクチャの全てが前記現在ピクチャに関連付けられた前記レイヤ間参照ピクチャセット中に含まれると決定したことに応答して、アクティブ参照レイヤピクチャである前記１つ以上の直接参照レイヤピクチャの数を決定することを更に備える、請求項１０に記載の方法。
【請求項１２】
レイヤ間予測と前記直接参照レイヤピクチャのうちの少なくとも１つとを使用して、前記現在ピクチャを復号することを更に備える、請求項１１に記載の方法。